(57)【要約】【課題】被洗浄物の洗浄に於いて液洗浄と蒸気洗浄とを併用する場合に、洗浄工程間に於ける被洗浄物の移動が不要となり、溶剤蒸気を外部に拡散して環境を汚染する事がないと共に、少ない洗浄槽を用いながら液洗浄と蒸気洗浄とを効率良く並行して行い、廉価で迅速な洗浄作業を可能にする。【解決手段】被洗浄物３の洗浄を行う複数の洗浄槽の一方で被洗浄物３の液洗浄を行う。他方の洗浄槽２に蒸気発生機構１０を接続して蒸気洗浄を行う。この蒸気洗浄の完了後、この蒸気洗浄を行った他方の洗浄槽２を減圧機構６に接続して減圧した後、一方の洗浄槽１と他方の洗浄槽２を接続する開閉弁１１を開放し、一方の洗浄槽１の洗浄液１２を他方の洗浄槽２に移送する。そして、他方の洗浄槽２で液洗浄を行うと共に一方の洗浄槽１に蒸気発生機構１０から蒸気を導入して蒸気洗浄を行う事を繰り返して行う。【選択図】図１
2005034789.tif 000002
【特許請求の範囲】
【請求項１】
被洗浄物の洗浄を行う複数の洗浄槽の一方に洗浄液を充填して被洗浄物の液洗浄を行い、他方の洗浄槽に蒸気発生機構を接続して蒸気洗浄を行い、この蒸気洗浄の完了後、この蒸気洗浄を行った他方の洗浄槽を減圧機構に接続して減圧した後、一方の洗浄槽と他方の洗浄槽を接続する開閉弁を開放し、一方の洗浄槽の洗浄液を他方の洗浄槽に移送して、他方の洗浄槽で液洗浄を行うと共に一方の洗浄槽に蒸気発生機構から蒸気を導入して蒸気洗浄を行う事を繰り返して行う事を特徴とする被洗浄物の洗浄方法。
【請求項２】
被洗浄物の洗浄を行う複数の洗浄槽と、この複数の洗浄槽に制御弁を介して接続する減圧機構と、同じく複数の洗浄槽に制御弁を介して接続する蒸気発生機構と、複数の洗浄槽間の連通を制御する開閉弁とからなり、この開閉弁で接続する複数の洗浄槽の一方を減圧機構で減圧した後、開閉弁を開放する事により、他方の洗浄槽に収納していた洗浄液を一方の洗浄槽に移送可能とした事を特徴とする被洗浄物の洗浄装置。
【請求項３】
複数の洗浄槽を相互に連通する開閉弁の前後には、濾過フイルターを配置した事を特徴とする請求項１の被洗浄物の洗浄方法。
【請求項４】
複数の洗浄槽を相互に連通する開閉弁の前後には、濾過フイルターを配置した事を特徴とする請求項２の被洗浄物の洗浄装置。
【発明の詳細な説明】
【技術分野】
【０００１】
本発明は、被洗浄物の液洗浄と蒸気洗浄とを、環境に与える影響を少なくしながら、廉価で迅速に行う事が出来る洗浄装置に関するものである。
【背景技術】
【０００２】
従来、被洗浄物の洗浄方法としては、大別して洗浄液を直接被洗浄物に接触して洗浄を行う液洗浄方法と、洗浄液を蒸気化して被洗浄物と接触し、被洗浄物の表面で蒸気を凝縮する事により行う蒸気洗浄方法とが存在する。通常この二つの方法は併用される場合が多いものであった。その方法の一つは、特許文献１に示す如く、複数の洗浄槽を用意し、その一つを液洗浄槽とし、他の１つを蒸気洗浄槽とし、液洗浄槽で液洗浄の終了した被洗浄物を、蒸気洗浄槽に移動して蒸気洗浄を行う方法が用いられている。
【０００３】
又、他の方法は、被洗浄物を移動することなく定位置に配置したまま液洗浄と蒸気洗浄を行う方法である。この方法は一つの槽で液洗浄を行った後、洗浄液を予備タンクに抜き取り、この洗浄液抜き取り後の洗浄槽内に洗浄蒸気を導入して被洗浄物の蒸気洗浄を行うものである。
【発明の開示】
【発明が解決しようとする課題】
【０００４】
しかしながら、複数の洗浄槽を用意し、その一つを液洗浄槽とし、他の一つを蒸気洗浄槽とし、液洗浄槽で液洗浄の終了した被洗浄物を、蒸気洗浄槽に移動して蒸気洗浄を行う方法にあっては、移動の際に被洗浄物を外気に曝すため、洗浄液である溶剤が揮発拡散して環境汚染を生じたり、洗浄液が可燃性溶剤である場合には、引火の危険を伴う等の欠点を有している。また、液洗浄槽で液洗浄の終了した被洗浄物を、外気に曝すことなく蒸気洗浄槽に移動して蒸気洗浄を行うには、装置を大型としたり機構を複雑にして装置を高価なものとする欠点を有している。
【０００５】
また、液洗浄を行った後、洗浄槽の洗浄液を予備タンクに抜き取り、この洗浄液抜き取り後の洗浄槽内に洗浄蒸気を導入して被洗浄物の蒸気洗浄を行う方法にあっては、液洗浄と蒸気洗浄との切替に多くの手数を要すると共に、洗浄槽と予備タンクの２つの槽を備えながら、蒸気洗浄か液洗浄の何れか一方のみを行う事が可能で、蒸気洗浄と液洗浄を同時並行的に行う事は出来ないため、洗浄効率が悪いものとなっていた。
【特許文献１】特開平１４−１７７９０４号公報
【０００６】
解決しようとする問題点は、被洗浄物の洗浄に於いて液洗浄と蒸気洗浄とを併用しようとする場合に、溶剤蒸気を外部に拡散して環境を汚染する事がないと共に、少ない洗浄槽を用いながら効率の良い洗浄を行い、廉価で迅速な洗浄作業を可能にしようとするものである。
【課題を解決するための手段】
【０００７】
本発明は、被洗浄物の洗浄を行う複数の洗浄槽の一方に洗浄液を充填して被洗浄物の液洗浄を行い、他方の洗浄槽に蒸気発生機構を接続して蒸気洗浄を行い、この蒸気洗浄の完了後、この蒸気洗浄を行った他方の洗浄槽を減圧機構に接続して減圧した後、一方の洗浄槽と他方の洗浄槽を接続する開閉弁を開放し、一方の洗浄槽の洗浄液を他方の洗浄槽に移送して、他方の洗浄槽で液洗浄を行うと共に一方の洗浄槽に蒸気発生機構から蒸気を導入して蒸気洗浄を行う事を繰り返して行う事を特徴として成るものである。
【０００８】
また、上記方法を具体化する装置は、被洗浄物の洗浄を行う複数の洗浄槽と、この複数の洗浄槽に制御弁を介して接続する減圧機構と、同じく複数の洗浄槽に制御弁を介して接続する蒸気発生機構と、複数の洗浄槽間の連通を制御する開閉弁とからなり、この開閉弁で接続する複数の洗浄槽の一方を減圧機構で減圧した後、開閉弁を開放する事により、他方の洗浄槽に収納していた洗浄液を一方の洗浄槽に移送可能として成るものである。
また、複数の洗浄槽を相互に連通する開閉弁の前後には、濾過フイルターを配置したものであっても良い。
【発明の効果】
【０００９】
本発明の洗浄装置は、被洗浄物の洗浄に於いて液洗浄と蒸気洗浄とを併用しようとする場合に、洗浄工程間に於ける被洗浄物の移動が不要となり、溶剤蒸気を外部に拡散して環境を汚染する事がないと共に、少ない洗浄槽を用いながら液洗浄と蒸気洗浄とを効率良く並行して行い、廉価で迅速な洗浄作業を可能にしようとするものである。
【実施例】
【００１０】
以下本発明の実施例を図１、図２に於いて説明すれば、(１)(２)は複数の洗浄槽で、内部に被洗浄物(３)を収納して洗浄を行うものである。この複数の洗浄槽(１)(２)は複数であれば任意個数接続して使用する事が可能であるが、本実施例では２個の洗浄槽(１)(２)を用いた場合に於いて説明する。そして、２個の洗浄槽(１)(２)に第１，第２の制御弁(４)(５)を介して減圧機構(６)を接続する。この減圧機構(６)は複数の洗浄槽(１)(２)の全てに個々に接続するものであっても良いが、一個の減圧機構(６)を複数の洗浄槽(１)(２)に接続する方が効率よく廉価な製品を得る事が出来る。
【００１１】
また、同じく複数の洗浄槽(１)(２)に第３，第４の制御弁(７)(８)を介して蒸気発生機構(１０)を接続する。この蒸気発生機構(１０)も複数の洗浄槽(１)(２)の全てに個々に接続するものであっても良いが、一個の蒸気発生機構(１０)を複数の洗浄槽(１)(２)に接続する方が効率よく廉価な製品を得る事が出来る。
【００１２】
また、複数の洗浄槽(１)(２)は開閉弁(１１)を介して連通し、この開閉弁(１１)に制御されながら、内部に充填した洗浄液(１２)の相互流通が可能となっている。しかし、常時は開閉弁(１１)を閉止し、複数の洗浄槽(１)(２)間に於ける洗浄液(１２)の流通は停止されている。この洗浄液(１２)の流通は、複数の洗浄槽(１)(２)の、一方の洗浄槽(１)を減圧機構(６)で減圧した後、開閉弁(１１)を開放する事により、他方の洗浄槽(２)に収納していた洗浄液(１２)が、圧力差により一方の洗浄槽(１)に移送可能と成っている。
【００１３】
また、複数の洗浄槽(１)(２)を相互に連通する開閉弁(１１)の前後には、濾過フイルター(１３)を配置し、複数の洗浄槽(１)(２)間を相互に流通する洗浄液(１２)の濾過を行うものである。また、各洗浄槽(１)(２)には超音波振動子(１４)を設置し、超音波洗浄を可能としている。この超音波振動子(１４)には超音波発振子(１４)を接続するが、この超音波発振子は超音波振動子(１４)毎に設けても良いし、複数の超音波振動子を１つの超音波発振子(１４)に接続するものとしても良い。また、複数の洗浄槽(１)(２)には各々真空解除弁(１５)(１６)を設け、減圧機構(６)により減圧された洗浄槽(１)(２)内を外気と連通し真空解除を可能としている。
【００１４】
上述の如く構成した洗浄装置で、被洗浄物(３)の洗浄を行うには、図１に示す如く、被洗浄物(３)の洗浄を行う２つのの洗浄槽(１)(２)の、他方の洗浄槽(２)に洗浄液(１２)を充填して被洗浄物(３)の液洗浄を行う。そして、一方の洗浄槽(１)では蒸気洗浄を行う。この蒸気洗浄は一方の洗浄槽(１)に第３の制御弁(７)を介して接続した蒸気発生機構(１０)から蒸気を導入して行う。この蒸気洗浄に於いては、第１の制御弁(４)を介して接続した減圧機構(６)により、一方の洗浄槽(１)内を減圧して行う事により、溶剤を低い温度で蒸気化する事が可能となり、引火の危険性、耐熱性の低い被洗浄物(３)の加熱による変形等を防止する上で有効なものとなる。
【００１５】
被洗浄物(３)の液洗浄と蒸気洗浄とは、一般的に液洗浄を行った後に蒸気洗浄を行うものであるが、この液洗浄と蒸気洗浄との切替は次の動作で行う。まず、上記の工程に於いて、一方の洗浄槽(１)内で蒸気洗浄の完了した被洗浄物(３)を、突沸乾燥等によって乾燥した後、真空解除弁(１５)を開弁し、一方の洗浄槽(１)内を大気圧としてから取り出す。そして、新たに洗浄を行うべき被洗浄物(３)を一方の洗浄槽(１)内に配置する。次に開閉弁(１１)、第２，第３，第４の制御弁(５)(７)(８)、真空解除弁(１５)を閉止し、第１の制御弁(４)を開放して減圧機構(６)を作動する事により、一方の洗浄槽(１)内を減圧する。この減圧後に、一方の洗浄槽(１)と他方の洗浄槽(２)との間の開閉弁(１１)及び真空解除弁(１６)を開弁することにより、圧力差を利用して、図２に示す如く、他方の洗浄槽(２)の洗浄液(１２)を一方の洗浄槽(１)に移送することが出来る。
【００１６】
この洗浄液(１２)の移送により、被洗浄物(３)を洗浄槽(１)(２)間の移送を行うことなく定位置に保ったまま、洗浄液(１２)による浸漬洗浄と蒸気洗浄を行う事が出来る。そのため、溶剤蒸気が外部に漏れる事に因る危険、環境への悪影響を防止する事が可能となる。また、被洗浄物(３)を洗浄槽(１)(２)間で移動する場合に比較し、作業性を向上する事が出来る。
【００１７】
上記の洗浄液(１２)の他方の洗浄槽(２)から一方の洗浄槽(１)への移送完了後は、第２、第４の制御弁(５)(８)を開弁し、第１、第３の制御弁(４)(７)及び開閉弁(１１)を閉弁して他方の洗浄槽(２)に蒸気発生機構(１０)から蒸気を導入し蒸気洗浄を行う。この蒸気洗浄に於いては、真空解除弁(１６)を閉止し減圧機構(６)を作動して、他方の洗浄槽(２)内を減圧し蒸気洗浄を行っても良い。以上の工程を繰り返す事により、被洗浄物(３)は蒸気洗浄が完了した被洗浄物(３)を、一方または他方の洗浄槽(１)(２)から取り出す場合と、この洗浄槽(１)(２)に新たな被洗浄物(３)を収納する場合以外は、洗浄槽(１)(２)を開放する必要が無く、環境負荷が少ないと共に迅速な洗浄作業を可能とし、また予備タンク等の設備を不要とし廉価な装置を得る事が可能となる。
【産業上の利用可能性】
【００１８】
被洗浄物(３)の液洗浄と蒸気洗浄を行う場合に、液洗浄と蒸気洗浄の切替時に、被洗浄物(３)を洗浄槽(１)(２)間で移動する事を不要とし、作業の迅速性と環境への影響を少なくする事を可能とするとともに、装置を簡略化し廉価な洗浄装置を得る事が可能となる。
【図面の簡単な説明】
【００１９】
【図１】液洗浄と蒸気洗浄を行っている実施例の断面図。
【図２】液洗浄と蒸気洗浄を切り替えた状態の断面図。
【符号の説明】
【００２０】
１    一方の洗浄槽
２    他方の洗浄槽
３    被洗浄物
４    第１の制御弁
５    第２の制御弁
６    減圧機構
７    第３の制御弁
８    第４の制御弁
１０    蒸気発生機構
１１    開閉弁
１２    洗浄液
１３    濾過フィルター
【図１】
2005034789.tif 000003
【図２】
2005034789.tif 000004